(57)【要約】【課題】洗浄力、泡立ち及び水切れ性により優れる食器用液体洗浄剤組成物を目的とする。【解決手段】（Ａ）成分：特定のスルホコハク酸ジアルキルエステル又はその塩と、（Ｂ）成分：半極性界面活性剤及び両性界面活性剤から選ばれる少なくとも１種と、（Ｃ）成分：カチオン化セルロースと、（Ｄ）成分：前記（Ａ）成分を除くアニオン界面活性剤と、を含有し、前記（Ａ）成分／前記（Ｂ）成分で表される質量比が０．０５〜０．５であり、前記（Ｄ）成分／前記（Ｂ）成分で表される質量比が０．５〜１．５であることよりなる。【選択図】なし【特許請求の範囲】
【請求項１】
（Ａ）成分：下記式（ａ１）で表されるスルホコハク酸ジアルキルエステル又はその塩と、
（Ｂ）成分：半極性界面活性剤及び両性界面活性剤から選ばれる少なくとも１種と、
（Ｃ）成分：カチオン化セルロースと、
（Ｄ）成分：前記（Ａ）成分を除くアニオン界面活性剤と、
を含有し、
前記（Ａ）成分／前記（Ｂ）成分で表される質量比が０．０５〜０．５であり、
前記（Ｄ）成分／前記（Ｂ）成分で表される質量比が０．５〜１．５である、食器用液体洗浄剤組成物。
【化１】
2020152757.tif 000013
［式（ａ１）中、Ｒ１は、炭素数５〜１８のアルキル基を表し、Ｒ２は、炭素数１〜１８のアルキル基を表す。Ａ１、Ａ２は、それぞれ独立に炭素数２〜４のアルキレン基を表し、ｘ、ｙは、平均繰り返し数を表し、それぞれ独立に０〜６であり、Ｍ１は陽イオンを表す。］
【請求項２】
前記（Ａ）成分／前記（Ｄ）成分で表される質量比が０．０５〜０．３である、請求項１に記載の食器用液体洗浄剤組成物。
【請求項３】
前記（Ａ）成分／前記（Ｃ）成分で表される質量比が４〜５０である、請求項１又は２に記載の食器用液体洗浄剤組成物。
【請求項４】
さらに（Ｅ）成分：下記式（ｅ１）で表される化合物を含有する、請求項１〜３のいずれか一項に記載の食器用液体洗浄剤組成物。
【化２】
2020152757.tif 000014
［式（ｅ１）中、ＥＯはオキシエチレン基を表す。ｍはＥＯの平均繰返し数を表し、８〜１２の数である。ｊとｋはそれぞれ１〜６の整数であり、６≦ｊ＋ｋ≦１２である。
ＥＯはオキシエチレン基である。］
【請求項５】
さらに（Ｆ）成分：酵素を含有する、請求項１〜４のいずれか一項に記載の食器用液体洗浄剤組成物。
【請求項６】
界面活性剤の総質量が１６〜３５質量％以上である、請求項１〜５のいずれか一項に記載の食器用液体洗浄剤組成物。
【請求項７】
アルキルポリグリコシドの含有量が５質量％以下である、請求項１〜６のいずれか一項に記載の食器用液体洗浄剤組成物。
【発明の詳細な説明】
【技術分野】
【０００１】
本発明は、食器用液体洗浄剤組成物に関する。
【背景技術】
【０００２】
近年、消費者の生活スタイルの変化から、食器洗い行動において「手早さ」が重視されている。「手早さ」に繋がる重要な要因としては、しっかり油汚れが落ちる「洗浄力」の高さ、洗浄力の実感を与える「泡立ち」の良さ、洗浄後の「水切れ」のよさが挙げられる。「洗浄力」、「泡立ち」、「水切れ」の全てが良好であれば、「手早さ」を実感しやすい。
【０００３】
特許文献１には、アニオン界面活性剤と、半極性界面活性剤及び両性界面活性剤の少なくとも一方と、カチオン化セルロースと、特定のノニオン界面活性剤とを含有する食器洗い用洗浄剤が提案されている。特許文献１に記載の発明によれば、洗浄時及びすすぎ時のヌルつきの抑制が図られている。
特許文献２には、疎水性皮膚軟化剤と特定量のプロテアーゼとを含有する食器用洗浄剤組成物が提案されている。特許文献２に記載の発明によれば、洗浄力と泡立ちとに影響を及ぼすことなく、手のスキンケア利益の付与を図っている。
【先行技術文献】
【特許文献】
【０００４】
【特許文献１】特開２０１８−３５２５１号公報
【特許文献２】特表２０１３−５３６２７９号公報
【発明の概要】
【発明が解決しようとする課題】
【０００５】
しかしながら、従来の技術では、すすぎが不十分な場合には、水切れ性が低下する。「すすぎが不十分」とは、すすぎ水が少ない又はすすぎ回数が少ないことを意味する。加えて、食器用液体洗浄剤組成物においては、「手早さ」の実感のさらなる向上が求められている。
そこで、本発明は、洗浄力、泡立ち及び水切れ性により優れる食器用液体洗浄剤組成物を目的とする。
【課題を解決するための手段】
【０００６】
本発明は以下の態様を有する。
＜１＞（Ａ）成分：下記式（ａ１）で表されるスルホコハク酸ジアルキルエステル又はその塩と、
（Ｂ）成分：半極性界面活性剤及び両性界面活性剤から選ばれる少なくとも１種と、
（Ｃ）成分：カチオン化セルロースと、
（Ｄ）成分：前記（Ａ）成分を除くアニオン界面活性剤と、
を含有し、
前記（Ａ）成分／前記（Ｂ）成分で表される質量比が０．０５〜０．５であり、
前記（Ｄ）成分／前記（Ｂ）成分で表される質量比が０．５〜１．５である、食器用液体洗浄剤組成物。
【化１】
2020152757.tif 000002
［式（ａ１）中、Ｒ１は、炭素数５〜１８のアルキル基を表し、Ｒ２は、炭素数１〜１８のアルキル基を表す。Ａ１、Ａ２は、それぞれ独立に炭素数２〜４のアルキレン基を表し、ｘ、ｙは、平均繰り返し数を表し、それぞれ独立に０〜６であり、Ｍ１は陽イオンを表す。］
＜２＞前記（Ａ）成分／前記（Ｄ）成分で表される質量比が０．０５〜０．３である、＜１＞に記載の食器用液体洗浄剤組成物。
＜３＞前記（Ａ）成分／前記（Ｃ）成分で表される質量比が４〜５０である、＜１＞又は＜２＞に記載の食器用液体洗浄剤組成物。
＜４＞さらに（Ｅ）成分：下記式（ｅ１）で表される化合物を含有する、＜１＞〜＜３＞のいずれかに記載の食器用液体洗浄剤組成物。
【化２】
2020152757.tif 000003
［式（ｅ１）中、ＥＯはオキシエチレン基を表す。ｍはＥＯの平均繰返し数を表し、８〜１２の数である。ｊとｋはそれぞれ１〜６の整数であり、６≦ｊ＋ｋ≦１２である。
ＥＯはオキシエチレン基である。］
＜５＞さらに（Ｆ）成分：酵素を含有する、＜１＞〜＜４＞のいずれかに記載の食器用液体洗浄剤組成物。
＜６＞界面活性剤の総質量が１６〜３５質量％以上である、＜１＞〜＜５＞のいずれかに記載の食器用液体洗浄剤組成物。
＜７＞アルキルポリグリコシドの含有量が５質量％以下である、＜１＞〜＜６＞のいずれかに記載の食器用液体洗浄剤組成物。
＜８＞前記（Ａ）成分の含有量が、食器用液体洗浄剤組成物の総質量に対して、０．５〜５質量％である、＜１＞〜＜７＞のいずれかに記載の食器用液体洗浄剤組成物。
＜９＞前記（Ｂ）成分の含有量が、食器用液体洗浄剤組成物の総質量に対して、５〜２０質量％である、＜１＞〜＜８＞のいずれかに記載の食器用液体洗浄剤組成物。
【発明の効果】
【０００７】
本発明の食器用液体洗浄剤組成物によれば、洗浄力、泡立ち及び水切れ性により優れる。食器用液体洗浄剤組成物を目的とする。
【発明を実施するための形態】
【０００８】
（食器用液体洗浄剤組成物）
本発明の食器用液体洗浄剤組成物（以下、単に液体洗浄剤組成物ということがある）は、下記（Ａ）〜（Ｄ）成分を含有する。
（Ａ）成分：スルホコハク酸ジアルキルエステル又はその塩。
（Ｂ）成分：半極性界面活性剤及び両性界面活性剤から選ばれる少なくとも１種。
（Ｃ）成分：カチオン化セルロース。
（Ｄ）成分：（Ａ）成分を除くアニオン界面活性剤。
【０００９】
本発明の液体洗浄剤組成物の２５℃でのｐＨは、６〜８が好ましい。液体洗浄剤組成物の２５℃でのｐＨが上記範囲内であれば、水切れ性をより高められる。
本発明において、液体洗浄剤組成物のｐＨ（２５℃）は、ＪＩＳ  Ｚ  ８８０２：１９８４「ｐＨ測定方法」に準拠した方法により測定される値である。
【００１０】
本発明の液体洗浄剤組成物の粘度は、特に限定されないが、例えば、３０〜４００ｍＰａ・ｓが好ましく、１００〜３００ｍＰａ・ｓがより好ましい。粘度が上記範囲内であれば、液体洗浄剤組成物を取り扱いやすい。
【００１１】
＜（Ａ）成分＞
（Ａ）成分は、下記式（ａ１）で表されるスルホコハク酸ジアルキルエステル又はその塩である。
【００１２】
【化３】
2020152757.tif 000004
【００１３】
［式（ａ１）中、Ｒ１は、炭素数５〜１８のアルキル基を表し、Ｒ２は、炭素数１〜１８のアルキル基を表す。Ａ１、Ａ２は、それぞれ独立に炭素数２〜４のアルキレン基を表し、ｘ、ｙは、平均繰り返し数を表し、それぞれ独立に０〜６であり、Ｍ１は陽イオンを表す。］
【００１４】
Ｒ１は、炭素数５〜１８のアルキル基である。Ｒ１の炭素数は、６〜１４が好ましく、７〜１０がより好ましい。
Ｒ１は、直鎖でもよく、分岐鎖でもよい。Ｒ１は、分岐鎖が好ましい。
【００１５】
Ｒ２は、炭素数１〜１８のアルキル基である。Ｒ２の炭素数は、６〜１４が好ましく、７〜１０がより好ましい。
Ｒ２は、直鎖でもよく、分岐鎖でもよい。Ｒ２は、分岐鎖が好ましい。
【００１６】
Ａ１、Ａ２は、それぞれ独立に、炭素数２〜４のアルキレン基である。Ａ１、Ａ２は、炭素数２〜３のアルキレン基が好ましい。Ａ１、Ａ２の炭素数が２〜３であると、すすぎが不十分であっても、高い水切れ性を発揮できる。
【００１７】
（Ａ）成分の含有量は、液体洗浄剤組成物の総質量に対して、０．５〜５質量％が好ましく、１〜３質量％がより好ましい。（Ａ）成分の含有量が上記範囲内であれば、洗浄力及び泡立ちがより良好になり、かつ、水切れ性をより高められる。
【００１８】
＜（Ｂ）成分＞
（Ｂ）成分は、半極性界面活性剤及び両性界面活性剤から選ばれる少なくとも１種である。液体洗浄剤組成物は、（Ｂ）成分を含有することで、水切れ性を高められる。
なお、「半極性界面活性剤」とは、半極性結合（無極性結合及び極性結合の中間の性質を有する結合）を有する界面活性剤のことであり、半極性界面活性剤が溶解する溶液又は分散する分散系のｐＨにより、カチオン性又はノニオン性となるものをいう。
半極性界面活性剤（以下、「（ｂ１）成分」ともいう。）としては、例えば、アミンオキシド型界面活性剤、アミンアルキレンオキシド型界面活性剤等が挙げられる。これらの中でも、（ｂ１）成分としては、アミンオキシド型界面活性剤が好ましい。
アミンオキシド型界面活性剤としては、例えばアルキルアミンオキシド、アルカノイルアミドアルキルアミンオキシド等が挙げられ、これらの中でも下記式（ｂ１）で表される化合物が好ましい。
【００１９】
【化４】
2020152757.tif 000005
【００２０】
［式（ｂ１）中、Ｒ２１は、炭素数８〜１８の直鎖もしくは分岐鎖のアルキル基、又は、炭素数８〜１８の直鎖もしくは分岐鎖のアルケニル基であり、Ｒ２２、Ｒ２３はそれぞれ独立して炭素数１〜３のアルキル基又は炭素数１〜３のヒドロキシアルキル基であり、Ｒ２４は炭素数１〜４のアルキレン基である。Ｂは、−ＣＯＮＨ−、−ＮＨＣＯ−、−ＣＯＯ−、−ＯＣＯ−又は−Ｏ−であり、ｒは０又は１の数である。］
【００２１】
式（ｂ１）で表される化合物としては、ラウリルジメチルアミンオキシド（ｎ−ドデシルジメチルアミンオキシド）、ヤシアルキルジメチルアミンオキシド、ラウリルジエチルアミンオキシド、ラウリン酸アミドプロピルジメチルアミンオキシド等が挙げられる。これらの中でも、水切れ性の向上とヌルつき抑制のバランスの観点から、ラウリルジメチルアミンオキシドが好ましい。
（ｂ１）成分は、１種単独でもよいし、２種以上の組み合わせでもよい。
【００２２】
両性界面活性剤（以下、「（ｂ２）成分」ともいう。）としては、例えば、カルボン酸塩型（ベタイン型ともいう。）、硫酸エステル塩型、スルホン酸塩型、リン酸エステル塩型等が挙げられる。これらの中でも、（ｂ２）成分としては、カルボン酸塩型が好ましい。
カルボン酸塩型の両性界面活性剤としては、ラウリルジメチルアミノ酢酸ベタイン、ヤシアルキルジメチルアミノ酢酸ベタイン、ヤシ油脂肪酸アミドプロピルベタイン、ラウリン酸アミドプロピルジメチルアミノ酢酸ベタイン、ヤシアルキルアミドプロピルジメチルアミノ酢酸ベタイン、ヤシ油脂肪酸アミドプロピルジメチルアミノ酢酸ベタイン（コカミドプロピルベタイン）等が挙げられる。
（ｂ２）成分は、１種単独でもよいし、２種以上の組み合わせでもよい。
【００２３】
（Ｂ）成分としては、（ｂ１）成分のみでもよいし、（ｂ２）成分のみでもよいし、（ｂ１）成分と（ｂ２）成分との組み合わせでもよい。（Ｂ）成分としては、（ｂ１）成分が好ましい。
【００２４】
（Ｂ）成分の含有量は、液体洗浄剤組成物の総質量に対して、５〜２０質量％が好ましく、５〜１５質量％がより好ましい。（Ｂ）成分の含有量が上記範囲内であれば、洗浄力及び泡立ちがより良好になり、かつ水切れ性をより高められる。
【００２５】
（Ａ）成分／（Ｂ）成分で表される質量比（Ａ／Ｂ比）は、０．０５〜０．５であり、０．１〜０．４が好ましく、０．１５〜０．３がより好ましい。Ａ／Ｂ比が上記下限値以上であれば、水切れ性をより高め、かつより良好な泡立ちを得られる。Ａ／Ｂ比が上記上限値以下であれば、洗浄力をより高められる。
【００２６】
＜（Ｃ）成分＞
（Ｃ）成分は、カチオン化セルロースである。液体洗浄剤組成物は、（Ｃ）成分を含有することで、水切れ性を高められる。
（Ｃ）成分としては、例えば、下記式（ｃ１）で表される化合物、下記式（ｃ２）で表される化合物、下記式（ｃ３）で表される化合物等が挙げられる。（Ｃ）成分としては、ヒドロキシトリメチルアンモニオプロピルヒドロキシエチルセルロースクロリド、ヒドロキシエチルセルロースジメチルジアリルアンモニウムクロリド重合体等のカチオン変性ヒドロキシエチルセルロース等が挙げられる。これらの中でも、（Ｃ）成分としては、水切れ性の向上とヌルつき抑制のバランスの観点から、式（ｃ１）で表される化合物が好ましい。
【００２７】
【化５】
2020152757.tif 000006
【００２８】
［式（ｃ１）中、ｔ、ｕ、ｓは、それぞれ繰り返し数を表す数である。］
【００２９】
【化６】
2020152757.tif 000007
【００３０】
［式（ｃ２）中、ｖ、ｗは、それぞれ繰り返し数を表す数である。］
【００３１】
【化７】
2020152757.tif 000008
【００３２】
式（ｃ１）で表される化合物の平均分子量は、１万〜千万である。
式（ｃ２）で表される化合物の平均分子量は、１万〜百万である。
式（ｃ３）で表される化合物の平均分子量は、１万〜百万である。
平均分子量は、ゲルパーミエーション法で測定される重量平均分子量である。
【００３３】
（Ｃ）成分のカチオン化度は、０．５〜３．５質量％が好ましく、１．５〜２．５質量％がより好ましい。カチオン化度が上記範囲内であれば、水切れ性がより高まる。
ここで、「カチオン化度」とは、（Ｃ）成分の分子中に占める、カチオン化剤に由来する窒素原子の含有率（質量％）である。即ち、カチオン化度は、（Ｃ）成分の総質量に対する窒素原子の含有率である。
（Ｃ）成分のカチオン化度は、特定された化学構造に基づいて計算される。
（Ｃ）成分における任意のモノマーの比率が不明な場合等、（Ｃ）成分の化学構造が特定されない場合には、（Ｃ）成分のカチオン化度は、実験的に求められた窒素含有率から算出される。（Ｃ）成分中の窒素含有率の測定方法としては、例えば、ケルダール法等が挙げられる。
【００３４】
２５℃における（Ｃ）成分の２質量％水溶液の粘度は、１０００ｍＰａ・ｓ以下が好ましく、５００ｍＰａ・ｓ以下がより好ましく、２００ｍＰａ・ｓ以下がさらに好ましい。なお、２質量％水溶液の粘度が１０００ｍＰａ・ｓを超える場合には、１質量％水溶液の粘度を測定する。２５℃における１質量％水溶液の粘度は、２０００ｍＰａ・ｓ以下が好ましく、５００ｍＰａ・ｓ以下がより好ましい。（Ｃ）成分の２質量％水溶液の粘度又は１質量％水溶液の粘度が上記範囲内であれば、水切れ性をより高められ、液体洗浄剤組成物の粘度をより適切にできる。
【００３５】
粘度は、２５℃の測定対象（（Ｃ）成分の水溶液）をＢ型粘度計で測定した値である。粘度の測定条件は、以下の通りである。
≪測定条件≫
［ローター］
測定対象の粘度に対応するローター番号は、下記の通りである。
・測定対象の粘度が３００ｍＰａ・ｓ未満の場合：ローター番号Ｎｏ．２。
・測定対象の粘度が３００ｍＰａ・ｓ以上１２００ｍＰａ・ｓの場合：ローター番号Ｎｏ．３。
・測定対象の粘度が１２００ｍＰａ・ｓ以上の場合：ローター番号Ｎｏ．４。
［ローター回転数］
６０ｒｐｍ。
［数値の読み取り］
ローターの回転の開始から６０秒後。
【００３６】
（Ｃ）成分としては、例えば、商品名「レオガードＧＰ（カチオン化度１．８質量％、ライオン・スペシャリティ・ケミカルズ株式会社製）」、商品名「レオガードＭＧＰ（カチオン化度１．８質量％、ライオン・スペシャリティ・ケミカルズ株式会社製）」、商品名「レオガードＭＬＰ（カチオン化度０．６質量％、ライオン・スペシャリティ・ケミカルズ株式会社製）」、商品名「ＵＣＡＲＥ  ＪＲ１２５（カチオン化度１．９質量％、ダウ・ケミカル社製）」、商品名「ＵＣＡＲＥ  ＪＲ４００（カチオン化度１．９質量％、ダウ・ケミカル社製）」、商品名「ＵＣＡＲＥ  ＬＲ３０Ｍ（カチオン化度１．０質量％、ダウ・ケミカル社製）」等が挙げられる。これらの中でも、（Ｃ）成分としては、水切れ性をより高める観点から「ＵＣＡＲＥ  ＪＲ１２５」、「ＵＣＡＲＥ  ＪＲ４００」が好ましく、「ＵＣＡＲＥ  ＪＲ１２５」がより好ましい。
（Ｃ）成分は、１種単独でもよいし、２種以上の組み合わせでもよい。
【００３７】
（Ｃ）成分の含有量は、液体洗浄剤組成物の総質量に対して０．０４〜１質量％が好ましく、０．１〜０．５質量％がより好ましい。（Ｃ）成分の含有量が上記下限値以上であれば、水切れ性をより高められる。（Ｃ）成分の含有量が上記上限値以下であれば、泡立ちをより良好にできる。
【００３８】
（Ａ）成分／（Ｃ）成分で表される質量比（Ａ／Ｃ比）は、４〜５０が好ましく、８〜２５がより好ましい。Ａ／Ｃ比が上記下限値以上であれば、泡立ちをより良好にでき、水切れ性をより高められる。Ａ／Ｃ比が上記上限値以下であれば、洗浄力をより高め、水切れ性をより高められる。
【００３９】
＜（Ｄ）成分＞
（Ｄ）成分は、（Ａ）成分を除くアニオン界面活性剤である。（Ｄ）成分としては、従来、液体洗浄剤組成物等に用いられているアニオン界面活性剤であればよい。（Ｄ）成分としては、例えば、直鎖アルキルベンゼンスルホン酸又はその塩、α−オレフィンスルホン酸又はその塩、直鎖又は分岐鎖のアルキル硫酸エステル又はその塩、ポリオキシアルキレンアルキルエーテル硫酸エステル又はその塩、ポリオキシアルキレンアルケニルエーテル硫酸エステル又はその塩、アルキル基を有するアルカンスルホン酸又はその塩、α−スルホ脂肪酸エステル又はその塩等が挙げられる。
アニオン界面活性剤の塩の形態としては、ナトリウム、カリウム等のアルカリ金属塩；カルシウム、マグネシウム等のアルカリ土類金属塩；モノエタノールアンモニウム、ジエタノールアンモニウム、トリエタノールアミン等のアルカノールアミン塩等が挙げられる。
【００４０】
直鎖アルキルベンゼンスルホン酸又はその塩としては、直鎖アルキル基の炭素数が８〜１６の直鎖アルキルベンゼンスルホン酸又はその塩が好ましく、直鎖アルキル基の炭素数１０〜１４の直鎖アルキルベンゼンスルホン酸又はその塩が特に好ましい。
α−オレフィンスルホン酸又はその塩としては、炭素数１０〜２０のα−オレフィンスルホン酸又はその塩が好ましい。
直鎖又は分岐鎖のアルキル硫酸エステル又はその塩としては、炭素数１０〜２０のアルキル硫酸エステル又はその塩が好ましい。
ポリオキシアルキレンアルキルエーテル硫酸エステル又はその塩としては、例えば、下記一般式（ｄ１）で表される化合物が挙げられる。
【００４１】
Ｒ１１−Ｏ−［（ＰＯ）ｐ／（ＥＯ）ｑ］−ＳＯ３−  １／Ｘ・Ｍ＋    ・・・（ｄ１）
【００４２】
［式（ｄ１）中、Ｒ１１は炭素数８〜１８の直鎖又は分岐鎖のアルキル基であり、かつ、酸素原子と結合している炭素原子は第一級炭素原子である。ＰＯはオキシプロピレン基を表し、ＥＯはオキシエチレン基を表す。ｐはＰＯの平均繰り返し数を表し、０≦ｐ＜１を満たす数である。ｑはＥＯの平均繰り返し数を表し、０＜ｑ≦４を満たす数である。Ｍ＋は対イオンであり、ＸはＭの価数である。］
【００４３】
Ｒ１１の炭素数は、８〜１８であり、１０〜１４が好ましく、１２〜１４がより好ましい。
【００４４】
ＰＯの平均繰り返し数（即ち、プロピレンオキシドの平均付加モル数）は、０以上、１未満であり、０が好ましい。
ＥＯの平均繰り返し数（即ち、エチレンオキシドの平均付加モル数）は、０超、４以下であり、１〜３が好ましい。
【００４５】
Ｍ＋としては、アルカリ金属イオン、アルカリ土類金属イオン、アルカノールアンモニウム等が挙げられる。アルカリ金属イオンとしては、ナトリウムイオン、カリウムイオンが挙げられる。アルカリ土類金属イオンとしては、カルシウムイオン、マグネシウムイオンが挙げられる。アルカノールアンモニウムとしては、モノエタノールアンモニウム、ジエタノールアンモニウム、トリエタノールアンモニウムが挙げられる。
【００４６】
（ＰＯ）ｐ／（ＥＯ）ｑにおいて、ＥＯとＰＯはランダム付加であってもよくブロック付加であってもよく、配列状態は問わない。
【００４７】
式（ｄ１）で表される化合物としては、例えば、ポリオキシエチレン（１）直鎖アルキル（Ｃ１２）エーテル硫酸エステルナトリウム塩、ポリオキシエチレン（２）直鎖アルキル（Ｃ１２）エーテル硫酸エステルナトリウム塩、ポリオキシエチレン（４）直鎖アルキル（Ｃ１２）エーテル硫酸エステルナトリウム塩、ポリオキシプロピレン（０．４）ポリオキシエチレン（１．５）直鎖アルキル（Ｃ１２）エーテル硫酸エステルナトリウム塩、ポリオキシエチレン（１）直鎖アルキル（Ｃ１２／１４＝７５／２５；天然油脂由来）エーテル硫酸エステルナトリウム塩、ポリオキシエチレン（２）直鎖アルキル（Ｃ１２／１４＝７５／２５；天然油脂由来）エーテル硫酸エステルナトリウム塩、ポリオキシエチレン（４）直鎖アルキル（Ｃ１２／１４＝７５／２５；天然油脂由来）エーテル硫酸エステルナトリウム塩、ポリオキシプロピレン（０．４）ポリオキシエチレン（１．５）直鎖アルキル（Ｃ１２／１４＝７５／２５；天然油脂由来）エーテル硫酸エステルナトリウム塩等が挙げられる。
ポリオキシアルキレンアルケニルエーテル硫酸エステル又はその塩としては、炭素数８〜１８の直鎖又は分岐鎖のアルケニル基を有し、平均１〜１０モルのエチレンオキシ基（ＥＯ）を付加したもの、さらに平均０〜６モルのプロピレンオキシ基（ＰＯ）を付加したもの（即ち、ポリオキシエチレン(プロピレン)アルケニルエーテル硫酸塩）が好ましい。
ここで、例えば「ポリオキシエチレン（１）」とは、エチレンオキシ基の平均繰返し数が１（エチレンオキシドの平均付加モル数が１）であることを意味する。
「アルキル（Ｃ１２）」とは、アルキル基の炭素数が１２であることを意味する。
「Ｃ１２／１４＝７５／２５；天然油脂由来」とは、炭素数１２の直鎖アルキル基を有する化合物と、炭素数１４の直鎖アルキル基を有する化合物と、の質量比で７５／２５の混合物であること、及び天然油脂由来の直鎖のアルキル基であることを意味する。
【００４８】
アルキル基を有するアルカンスルホン酸又はその塩としては、炭素数は１０〜２０のアルカンスルホン酸又はその塩が挙げられ、炭素数１４〜１７のアルカンスルホン酸又はその塩が好ましく、第２級アルカンスルホン酸又はその塩が特に好ましい。
【００４９】
α−スルホ脂肪酸エステル又はその塩としては、炭素数１０〜２０のα−スルホ脂肪酸エステル塩が好ましい。
これらのアニオン界面活性剤は、市場において容易に入手することができる。また、公知の方法により合成したものを用いてもよい。
【００５０】
水切れ性のさらなる向上の観点から、（Ｄ）成分は、少なくともポリオキシアルキレンアルキルエーテル硫酸エステル又はその塩（以下、「（ｄ１）成分」ともいう。）を含むことが好ましく、ポリオキシエチレン（１）直鎖アルキル（Ｃ１２／１４＝７５／２５；天然油脂由来）エーテル硫酸エステルナトリウム塩を含むことがより好ましい。
（Ｄ）成分は、１種単独でもよいし、２種以上の組み合わせでもよい。
【００５１】
（Ｄ）成分の含有量は、液体洗浄剤組成物の総質量に対して５〜１５質量％が好ましく、８〜１５質量％がより好ましく、８〜１２質量％がさらに好ましい。（Ｄ）成分の含有量が上記範囲内であれば、洗浄力及び泡立ちが良好になり、かつ水切れ性をより高められる。
【００５２】
（Ａ）成分／（Ｄ）成分で表される質量比（Ａ／Ｄ比）は、０．０５〜０．３が好ましく、０．１４〜０．２２がより好ましい。Ａ／Ｄ比が上記下限値以上であれば、水切れ性をより高められる。Ａ／Ｄ比が上記上限値以下であれば、泡立ちをより良好にできる。
【００５３】
（Ｄ）成分／（Ｂ）成分で表される質量比（Ｄ／Ｂ比）は、０．５〜１．５であり、０．９〜１．４が好ましい。Ｄ／Ｂ比が上記下限値以上であれば、洗浄力及び泡立ちをより良好にできる。Ｄ／Ｂ比が上記上限値以下であれば、水切れ性をより高められる。
【００５４】
＜（Ｅ）成分＞
（Ｅ）成分は、下記一般式（ｅ１）で表される化合物である。
液体洗浄剤組成物は、（Ｅ）成分を含有することで、水切れ性のさらなる向上を図れる。
【００５５】
【化８】
2020152757.tif 000009
【００５６】
［式（ｅ１）中、ＥＯはエチレンオキシ基を表す。ｍはＥＯの平均繰返し数を表し、８〜１２の数である。ｊとｋはそれぞれ１〜６の整数であり、６≦ｊ＋ｋ≦１２である。］
【００５７】
ｍは、８〜１０が好ましく、９〜１０がより好ましい。ｍが、上記範囲内であれば水切れ性をより高められる。なお、ここでのｍは、ＥＯの平均繰返し数を示している。従って、式（ｄ１）で表される化合物は、ＥＯの繰り返し数が単一の化合物でもよいし、ＥＯの繰返し数が異なる分子の集合体でもよい。
【００５８】
ｊとｋはそれぞれ１〜６の整数であり、６≦ｊ＋ｋ≦１２である。中でも、水切れ性がより良好になることから、６≦ｊ＋ｋ≦１０が好ましく、６≦ｊ＋ｋ≦８がより好ましく、ｊ＋ｋ＝８がさらに好ましい。
【００５９】
式（ｅ１）中のＣｊＨ２ｊ＋１、ＣｋＨ２ｋ＋１としてはそれぞれ、直鎖又は分岐鎖のアルキル基が挙げられ、直鎖のアルキル基が好ましい。ＣｊＨ２ｊ＋１、ＣｋＨ２ｋ＋１としては、例えば、メチル基、エチル基、プロピル基、ブチル基、ペンチル基、ヘキシル基が好適なものとして挙げられる。中でも、ＣｊＨ２ｊ＋１、ＣｋＨ２ｋ＋１としては、エチル基とブチル基との組合せ、プロピル基とペンチル基との組合せ（以上、いずれの組合せも一方がどちらの基であってもよい）が好ましく、プロピル基とペンチル基との組合せ（一方がどちらの基であってもよい）が特に好ましい。
【００６０】
（Ｅ）成分としては、ガーベット反応による２分子縮合で得られ、β位に分岐構造を有するアルコールのエチレンオキシド付加物が特に好適なものとして挙げられる。
好適な（Ｅ）成分としては、例えば、ＢＡＳＦ社製のポリオキシエチレンモノ（２−プロピルへプチル）エーテルが挙げられる。具体的には、Ｌｕｔｅｎｓｏｌ  ＸＰ９０（商品名、式（ｅ１）における、ｊ＝５、ｋ＝３、ｍ＝９の化合物）、Ｌｕｔｅｎｓｏｌ  ＸＰ１００（商品名、式（ｅ１）における、ｊ＝５、ｋ＝３、ｍ＝１０の化合物）が挙げられる。
【００６１】
（Ｅ）成分の含有量は、液体洗浄剤組成物の総質量に対して３〜１０質量％が好ましく、５〜８質量％がより好ましい。（Ｅ）成分の含有量が上記下限値以上であれば、泡立ちをより良好にし、水切れ性をより高められる。（Ｅ）成分の含有量が上記上限値以下であれば、洗浄力をより高められる。
【００６２】
＜（Ｆ）成分＞
（Ｆ）成分は、酵素である。
液体洗浄剤組成物は、（Ｆ）成分を含有することで、洗浄力をより高め、水切れ性をより高められる。
【００６３】
（Ｆ）成分としては、プロテアーゼ、アミラーゼ、セルラーゼ、ペクチナーゼ、マンナナーゼ、カタラーゼ等があげられる。中でも、水切れ性をより高め、洗浄力をより高める観点から、プロテアーゼ、アミラーゼが好ましい。
【００６４】
プロテアーゼとしては、セリンプロテアーゼのように、分子内にセリン、ヒスチジン、及びアスパラギン酸を有するプロテアーゼが好ましい。
プロテアーゼ製剤としては、例えば、ノボザイムズ社から入手できる商品名Ｓａｖｉｎａｓｅ１６Ｌ、Ｓａｖｉｎａｓｅ  Ｕｌｔｒａ  １６Ｌ、Ｓａｖｉｎａｓｅ  Ｕｌｔｒａ  １６ＸＬ、Ｅｖｅｒｌａｓｅ  １６Ｌ  ＴｙｐｅＥＸ、Ｅｖｅｒｌａｓｅ  Ｕｌｔｒａ  １６Ｌ、Ｅｓｐｅｒａｓｅ  ８Ｌ、Ａｌｃａｌａｓｅ  ２．５Ｌ、Ａｌｃａｌａｓｅ  Ｕｌｔｒａ  ２．５Ｌ、Ｌｉｑｕａｎａｓｅ  ２．５Ｌ、Ｌｉｑｕａｎａｓｅ  Ｕｌｔｒａ  ２．５Ｌ、Ｌｉｑｕａｎａｓｅ  Ｕｌｔｒａ  ２．５ＸＬ、Ｃｏｒｏｎａｓｅ  ４８Ｌ、Ｃｏｒｏｎａｓｅ Ｅｖｉｔｙ  ４８Ｌ、Ｐｒｏｇｒｅｓｓ Ｕｎｏ１０１Ｌ；ジェネンコア社から入手できる商品名Ｐｕｒａｆｅｃｔ  Ｌ、Ｐｕｒａｆｅｃｔ  ＯＸ、Ｐｒｏｐｅｒａｓｅ  Ｌ等が挙げられる。
【００６５】
アミラーゼ製剤としては、例えば、ノボザイムズ社から入手できる商品名Ｔｅｒｍａｍｙｌ  ３００Ｌ、Ｔｅｒｍａｍｙｌ  Ｕｌｔｒａ  ３００Ｌ、Ｄｕｒａｍｙｌ  ３００Ｌ、Ｓｔａｉｎｚｙｍｅ  １２Ｌ、Ｓｔａｉｎｚｙｍｅ  Ｐｌｕｓ  １２Ｌ、ＡｍｐｌｉｆｙＰｒｉｍｅ；ジェネンコア社から入手できる商品名Ｍａｘａｍｙｌ；天野エンザイム株式会社から入手できる商品名プルラナーゼアマノ；生化学工業株式会社から入手できる商品名ＤＢ−２５０等が挙げられる。
プロテアーゼ、アミラーゼを含有する場合、その安定性を高める目的でカタラーゼを含有することが好ましい。これによりアミンオキシド型界面活性剤に由来する残留過酸化水素を分解することができる。
【００６６】
（Ｆ）成分の含有量は、液体洗浄剤組成物の総質量に対して、０．０１〜０．５質量％が好ましく、０．１〜０．５質量％がより好ましく、０．２〜０．３質量％がさらに好ましい。（Ｆ）成分の含有量が上記下限値以上であれば、洗浄力をより高め、水切れ性をより高められる。（Ｆ）成分の含有量が上記上限値以下であれば、液体洗浄剤組成物に析出等が生じにくい。
【００６７】
＜任意成分＞
液体洗浄剤組成物は、本発明の効果を損なわない範囲内であれば、（Ａ）成分、（Ｂ）成分、（Ｃ）成分、（Ｄ）成分、（Ｅ）成分及び（Ｆ）以外の成分（任意成分）を含有してもよい。
任意成分としては、食器用、衣料用の液体洗浄剤組成物に用いられている成分が挙げられ、例えば、（Ａ）成分、（Ｂ）成分、（Ｄ）成分及び（Ｅ）成分以外の界面活性剤（任意界面活性剤）、ハイドロトロープ剤、防腐剤、ｐＨ調整剤、漂白成分、金属捕捉成分、ラジカルトラップ剤、香料等が挙げられる。
【００６８】
≪任意界面活性剤≫
任意界面活性剤としては、（Ｅ）成分以外のノニオン界面活性剤、カチオン界面活性剤等が挙げられる。
（Ｅ）成分以外のノニオン界面活性剤（任意ノニオン）としては、例えば、ポリオキシアルキレンアルキルエーテル、アルキルポリグリコシド等が挙げられる。任意ノニオンは、１種単独でもよいし、２種以上の組み合わせでもよい。
カチオン界面活性剤としては、例えば、ジデシルジメチルアンモニウムクロライド、ジデシルジメチルアンモニウムメトサルフェート、ジステアリルジメチルアンモニウムクロライド、ジオクチルジメチルアンモニウムクロライド、ジステアリルジヒドロキシエチルアンモニウムクロライド、ジ牛脂アルキルジメチルアンモニウムクロライド、ジ（ステアロイルオキシエチル）ジメチルアンモニウムクロライド、ジ（オレオイルオキシエチル）ジメチルアンモニウムクロライド、ジ（パルミトイルオキシエチル）ジメチルアンモニウムメトサルフェート、ジ（ステアロイルオキシイソプロピル）ジメチルアンモニウムクロライド、ジ（オレオイルオキシイソプロピル）ジメチルアンモニウムクロライド、ジ（オレオイルオキシブチル）ジメチルアンモニウムクロライド、ジ（ステアロイルオキシエチル）メチルヒドロキシエチルアンモニウムメトサルフェート、トリ（ステアロイルオキシエチル）メチルメトサルフェート等が挙げられる。なお、「牛脂アルキル」基の炭素数は１４〜１８である。
カチオン界面活性剤は、１種を単独で用いてもよいし、２種以上を適宜組み合わせて用いてもよい。
【００６９】
但し、アルキル基の炭素数が１０〜１４アルキルポリグリコシドは、水切れ性を低下する傾向にある。このため、アルキル基の炭素数が１０〜１４アルキルポリグリコシドの含有量は、液体洗浄剤組成物の総質量に対して、５質量％以下が好ましく、３質量％未満がより好ましく、１質量％未満がさらに好ましく、含まないことが特に好ましい。
【００７０】
界面活性剤の総量（総界面活性剤量）は、液体洗浄剤組成物の総質量に対して、１６〜３５質量％が好ましく、２０〜３０質量％がさらに好ましく、２２〜２７質量％がより好ましい。総界面活性剤量が上記下限値以上であれば、洗浄力及び泡立ちにより優れる。総界面活性剤量が上記上限値以下であれば、水切れ性をより高められる。
【００７１】
≪ハイドロトロープ剤≫
液体洗浄剤組成物がハイドロトロープ剤を含有することにより、主として、液体洗浄剤組成物の保存安定性（特に低温安定性）が向上して、透明外観をより安定に確保しやすくなる。
ハイドロトロープ剤としては、例えば、トルエンスルホン酸、トルエンスルホン酸塩、クメンスルホン酸、クメンスルホン酸塩、エタノール等が挙げられる。
ハイドロトロープ剤は、１種単独でもよいし、２種以上の組み合わせでもよい。
ハイドロトロープ剤において、トルエンスルホン酸、トルエンスルホン酸塩、クメンスルホン酸、クメンスルホン酸塩は、それぞれｏ体、ｍ体、ｐ体の３異性体のいずれでもよく、これらのなかでも容易に入手が可能なことからｐ体が好ましく、その中でも、ｐ−トルエンスルホン酸、ｐ−トルエンスルホン酸塩がより好ましい。
ハイドロトロープ剤の含有量は、液体洗浄剤組成物の総質量に対して２〜３０質量％が好ましく、３〜１０質量％がより好ましい。ハイドロトロープ剤の含有量が上記範囲内であれば、洗浄力及び水切れ性を低下させることなく、その配合効果を十分に得ることができる。
【００７２】
≪防腐剤≫
液体洗浄剤組成物は、防腐剤を含有することにより、液体洗浄剤組成物に微生物等が混入しても、菌の増殖を抑制できる。
防腐剤としては、例えば、イソチアゾリン系化合物が挙げられ、具体的には、ベンズイソチアゾリノン（１，２−ベンズイソチアゾリン−３−オン）、メチルイソチアゾリノン（２−メチル−４−イソチアゾリン−３−オン）、ブチルベンズイソチアゾリノン、クロロメチルイソチアゾリノン、オクチルイソチアゾリノン、ジクロロオクチルイソチアゾリノン等が挙げられる。
防腐剤は、１種単独でもよいし、２種以上の組み合わせでもよい。
防腐剤の含有量は、液体洗浄剤組成物の総質量に対して、０．０００２〜０．０１質量％（２〜１００質量ｐｐｍ）が好ましく、０．０００５〜０．００４質量％（５〜４０質量ｐｐｍ）がより好ましい。防腐剤の含有量が上記範囲内であれば、洗浄力及び水切れ性を低下させることなく、その配合効果を十分に得ることができる。
【００７３】
≪ｐＨ調整剤≫
ｐＨ調整剤としては、例えば、無機アルカリ剤、有機アルカリ剤等が挙げられる。
無機アルカリ剤としては、例えば、水酸化ナトリウム、水酸化カリウム、炭酸ナトリウム、炭酸カリウム等が挙げられる。これらの中でも、液体洗浄剤の保存安定性が向上しやすいことから、水酸化ナトリウム、水酸化カリウム等の水酸化物が好ましい。
有機アルカリ剤としては、例えば、モノエタノールアミン、ジエタノールアミン、トリエタノールアミン、Ｎ−メチルプロパノール、２−アミノ−２−メチル−１−プロパノール、Ｎ−（β−アミノエチル）エタノールアミン、ジエチレントリアミン、モルホリン、Ｎ−エチルモルホリン等のアミン化合物等が挙げられる。これらの中でも液体洗浄剤の保存安定性が向上しやすいことから、モノエタノールアミンが好ましい。
なお、液体洗浄剤のｐＨが高すぎる場合には、ｐＨ調整剤として、例えば塩酸、硫酸等の無機酸；酢酸、クエン酸等のカルボン酸等の酸を用いてもよい。
なお、液体洗浄剤組成物に含まれる全ての成分の含有量の合計が、１００質量％となるものとする。
【００７４】
（製造方法）
本発明の液体洗浄剤組成物は、例えば、上述した（Ａ）成分、（Ｂ）成分、（Ｃ）成分及び（Ｄ）成分と、必要に応じて（Ｅ）成分、（Ｆ）成分又は任意成分とを、水に溶解し、ｐＨ調整剤を用いて所定のｐＨに調整することによって製造できる。
【００７５】
（使用方法）
液体洗浄剤組成物の使用方法（即ち、食器の洗浄方法）を以下に説明する。
食器を洗浄する方法としては、任意の量の液体洗浄剤組成物を洗浄具に付着させ、この洗浄具を用いて洗浄対象を擦り洗いする（擦り洗い操作）方法が挙げられる。
洗浄具に付着させる液体洗浄剤組成物の量は、例えば、１〜１０ｇである。
洗浄対象は、皿、箸、スプーン等の食器が挙げられる。また、洗浄対象は、鍋、包丁等の調理器具でもよい。本稿において、食器及び調理器具を総じて、「食器」と称する。
擦り洗い操作の後、洗浄対象をすすぎ水ですすぎ、洗浄対象に付着している液体洗浄剤組成物を洗い流す（すすぎ操作）。すすぎ操作は、例えば、流水で洗浄対象をすすぐ方法、容器等に貯留したすすぎ水に洗浄対象を浸し、次いで引き上げる方法等である。この際、本発明の液体洗浄剤組成物は、すすぎ水の量が少ない、あるいはすすぎ回数が少なくても、洗浄対象に付着した水が速やかに流下する。
【００７６】
また、食器を洗浄する方法としては、液体洗浄剤組成物を水に分散して洗浄液とし、洗浄液に洗浄対象を任意の時間（浸漬時間）で浸漬する（浸漬操作）方法（浸漬法）が挙げられる。
【００７７】
洗浄液の総量に対する液体洗浄剤組成物の含有量は、例えば、０．０１〜５０質量％（即ち、２〜１００００倍希釈）が好ましく、０．０５〜２０質量％がより好ましく、０．１〜５質量％がさらに好ましい。
浸漬法における浸漬時間は、洗浄対象の汚れの程度等を勘案して決定され、例えば、５分間以上が好ましく、５分間〜１０時間がより好ましく、５分間〜１時間、１５分間〜１時間がさらに好ましい。浸漬時間が上記下限値以上であれば、洗浄力のさらなる向上を図れる。浸漬時間が上記上限値以下であれば、食器の洗浄時間が過剰に長くなるのを防止できる。
【００７８】
浸漬操作においては、必要に応じて、洗浄液内で又は洗浄液から取り出して、洗浄対象を洗浄具で擦り洗いしてもよい。洗浄具としては、例えば、スポンジ、刷子等が挙げられる。
任意の時間、洗浄対象を洗浄液に浸漬し、次いで、洗浄液から洗浄対象を取り出す。取り出した洗浄対象に対し、液体洗浄剤組成物を含有しない浄水（すすぎ水）ですすぎ、洗浄対象に付着している洗浄液及び泡を洗い流す（すすぎ操作）。すすぎ操作を経ることで、洗浄された食器を得る。この際、本発明の液体洗浄剤組成物は、すすぎ水の量が少ない、あるいはすすぎ回数が少なくても、洗浄対象に付着した水が速やかに流下する。
【００７９】
以上説明した本発明の液体洗浄剤組成物においては（Ａ）成分に対して特定比率の（Ｄ）成分と、（Ａ）成分に対して特定比率の（Ｃ）成分と、（Ｄ）成分に対して特定比率の（Ｂ）成分とを含有するので、洗浄力、泡立ち性に優れ、かつ、不十分なすすぎでも水切れ性に優れる。このため、食器を洗浄した後、食器を水に浸漬し引き上げる「ためすすぎ」でも、少ない回数で水切れが発現する。係る理由は以下のように考えられる。
水切れ性は（Ｃ）成分と（Ｄ）成分がコンプレックス（会合体）を形成し、その会合体が食器等の洗浄対象物の表面に吸着し、（Ｄ）成分がすすぎ時に（Ｃ）成分から離脱することにより水切れ性が発現する。しかし、（Ｃ）成分と（Ｄ）成分の会合体は結合力が強いため、「ためすすぎ」のような少ない物理力では離脱しにくく、水切れ性が発現しない。一方、（Ａ）成分と（Ｃ）成分の会合体は結合力が比較的弱く脱離が起こりやすいが、洗浄力や泡立ち性を阻害することがある。そこで、Ａ／Ｂ比、Ｄ／Ｂ比を特定の範囲にすることで、（Ｃ）成分と（Ｄ）成分との会合体の数を相対的に減少させている。これにより、洗浄力、泡立ち性を低下させずに、（Ａ）成分及び（Ｄ）成分を（Ｃ）成分から脱離しやすくし、洗浄力、泡立ち性が良好で、かつ優れた水切れ性が発現するものと考えられる。
さらに、（Ｅ）成分を加えるとより構造の類似性により（Ａ）成分と（Ｃ）成分の会合体の離脱のしやすさを向上させるため、より不十分なすすぎでも水切れ性が発現すると考えられる。
また、理由は定かではないが、酵素を加えると、（Ｃ）成分と（Ｄ）成分の会合体の脱離のしやすさを向上させるためより少ないすすぎ回数でも水切れ性が発現すると考える。
【実施例】
【００８０】
以下、実施例を示して本発明を詳細に説明するが、本発明は以下の記載によって限定されるものではない。
【００８１】
（使用原料）
＜（Ａ）成分：スルホコハク酸ジアルキルエステル（塩）＞
Ａ−１：スルホコハク酸ジ−２−エチルヘキシルナトリウム（商品名：リパール８７０Ｐ、ライオン・スペシャリティ・ケミカルズ株式会社製）。式（ａ１）中、Ｒ１が及びＲ２が２−エチルヘキシル基、Ｍ１がナトリウム、ｘ＝０、ｙ＝０の化合物。
【００８２】
＜（Ｂ）成分：半極性界面活性剤、両性界面活性剤＞
Ｂ−１：ｎ−ドデシルジメチルアミンオキシド（商品名：カデナックスＤＭ１２Ｄ−Ｗ、ライオン・スペシャリティ・ケミカルズ株式会社製）。式（ｂ１）中、Ｒ２１が炭素数１２の直鎖アルキル基、Ｒ２２がメチル基、Ｒ２３がメチル基、ｒ＝０の化合物。
Ｂ−２：ラウリン酸アミドプロピルジメチルアミンオキシド（商品名：ＧＥＮＡＭＩＮＯＸ  ＡＰ、クラリアントジャパン株式会社製）。式（ｂ１）中、Ｒ２１が炭素数１２の直鎖アルキル基、Ｒ２２がメチル基、Ｒ２３がメチル基、ｒ＝１、Ｒ２４＝プロピレン基の化合物。
Ｂ−３：コカミドプロピルベタイン（オバゾリンＣＡＢ−３０、東邦化学工業株式会社製）。
【００８３】
＜（Ｃ）成分：カチオン化セルロース＞
Ｃ−１：カチオン化セルロース（カチオン化度１．９質量％、商品名：ＵＣＡＲＥ  ＪＲ  １２５、ローム・アンド・ハース・ジャパン株式会社製）。
Ｃ−１：カチオン化セルロース（カチオン化度１．９質量％、商品名：ＵＣＡＲＥ  ＪＲ  ４００、ローム・アンド・ハース・ジャパン株式会社製）。
【００８４】
＜（Ｄ）成分：（Ａ）成分を除くアニオン界面活性剤＞
Ｄ−１：ポリオキシエチレンアルキルエーテル硫酸ナトリウム（下記合成例１で合成したもの）。式（ｄ１）中、Ｒ１１が炭素数１２〜１４の直鎖アルキル基、ｑ＝１、Ｍ＋がナトリウム。
【００８５】
≪合成例１≫Ｄ−１の合成
４Ｌオートクレーブ中に、原料アルコールとしてプロクター・アンド・ギャンブル社製の商品名ＣＯ１２７０アルコール（Ｃ１２／Ｃ１４＝７５％／２５％，質量比）４００ｇと、反応用触媒として水酸化カリウム触媒０．８ｇと、をそれぞれ仕込んだ。オートクレーブ内を窒素で置換した後、撹拌しながら昇温した。続いて、温度を１８０℃、圧力を０．３ＭＰａ以下に維持しつつ、エチレンオキシド９１ｇを導入し、反応させた。得られたポリオキシアルキレンエーテルのエチレンオキシドの平均付加モル数は１であった。
次に、このようにして得られたアルコールエトキシレート２３７ｇを、撹拌装置付の５００ｍＬフラスコに採り、窒素置換の後、液体無水硫酸（サルファン）９６ｇを、反応温度４０℃に保ちながらゆっくりと滴下した。滴下終了の後、撹拌を１時間続け（硫酸化反応）、ポリオキシエチレンアルキルエーテル硫酸を得た。
次いで、これを、水酸化ナトリウム水溶液で中和することによりＤ−１を得た。
【００８６】
Ｄ−２：炭素数１０〜１４のアルキルベンゼンスルホン酸ナトリウム（テイカ株式会社製の商品名「テイカパワーＬ１２１」が水酸化ナトリウムで中和されたもの）。
Ｄ−３：炭素数１４〜１７の２級アルカンスルホン酸ナトリウム（ＨＯＳＴＡＰＵＲ  ＳＡＳ  ３０Ａ、クラリアントジャパン株式会社製）。
【００８７】
＜（Ｅ）成分：特定のノニオン界面活性剤＞
Ｅ−１：ポリオキシエチレンモノ（２−プロピルへプチル）エーテル（ＥＯ１０）（商品名：Ｌｕｔｅｎｓｏｌ  ＸＰ１００、ＢＡＳＦジャパン株式会社製）。式（Ｅ１）中、ｍ＝１０、ｊ＝３、ｋ＝５の化合物。
Ｅ−２：ポリオキシエチレンモノ（２−プロピルへプチル）エーテル（ＥＯ９）（商品名：Ｌｕｔｅｎｓｏｌ  ＸＰ９０、ＢＡＳＦジャパン株式会社製）。式（Ｅ１）中、ｍ＝９、ｊ＝３、ｋ＝５の化合物。
【００８８】
＜（Ｆ）成分：酵素＞
Ｆ−１：プロテアーゼ（商品名：ＰｒｏｇｒｅｓｓＵｎｏ、ノボザイムズジャパン株式会社製）。
Ｆ−２：アミラーゼ（商品名：Ａｍｐｌｉｆｙ  Ｐｒｉｍｅ、ノボザイムズジャパン株式会社製）。
【００８９】
＜任意成分＞
Ｅ’−１（任意ノニオン）：アルキル基の炭素数が１２〜１４であるアルキルポリグリコシド（商品名：ＧＬＵＣＯＰＯＮ６００ＣＳＵＰ、ＢＡＳＦジャパン株式会社製）。
エタノール（関東化学株式会社）。
ｐ−トルエンスルホン酸（ｐＴＳ−Ｈ、関東化学株式会社製）。
安息香酸Ｎａ（関東化学株式会社製）。
２−メチル−４−イソチアゾリン−３−オン（ＭＩＴ、商品名：ネオロン  Ｍ−１０、ローム・アンド・ハース・ジャパン株式会社製）
１，２−ベンズイソチアゾリン−３−オン（ＢＩＴ、商品名：ＰＲＯＸＥＬ  ＸＬ２、アーチケミカルズ社製）。
クエン酸（クエン酸（無水）、扶桑化学株式会社製）。
酸化亜鉛（三井金属鉱業株式会社製）。
スルファミン酸（扶桑化学工業株式会社製）。
香料：特願２０１７−０８５２８２の表１〜６に記載の香料組成物Ａ又は香料組成物Ｂ。
ｐＨ調整剤：水酸化ナトリウム又は硫酸。
水：蒸留水。
【００９０】
（評価方法）
＜水切れ性＞
≪洗浄対象物≫
φ１８．５ｃｍ陶器皿（汚垢無し）。
≪評価方法≫
１１．５ｃｍ×７．５ｃｍ×３ｃｍの食器洗い用スポンジに水道水３８ｇと各例の液体洗浄剤組成物２ｇをとり、１０回手で揉んだ後、洗浄対象物の陶器皿１枚の表面を１０回擦り洗いした。その後、この陶器皿を２５℃の水道水５Ｌを入れた洗い桶で３０秒間浸漬し、ためすすぎをおこなった。この陶器皿をほぼ垂直にし、市販の食器かごに立てかけた。その後、目視により陶器皿を観察し、陶器皿から水が流れ落ちて３０秒以内に陶器皿表面全体の１００％の面積に水が付着していない状態になるかを確認した。
３０秒以内に陶器皿表面全体の１００％の面積に水が付着していない状態にならない場合は、２５℃の水道水５Ｌを入れた洗い桶に再び３０秒間浸漬し、上述の水切れ性評価を実施した。水切れ性の確認は最大１０回までおこない、以下の評価基準にて評価した。
【００９１】
≪評価基準≫
Ａ：ためすすぎが３回以下。
Ｂ：ためすすぎが４〜６回。
Ｃ：ためすすぎが７〜１０回。
Ｄ：１０回でも３０秒以内に、陶器皿表面全体に水が付着してない状態にならない。
【００９２】
＜洗浄力＞
≪油汚れの調製≫
油汚れとして、固体脂である牛脂（和光純薬工業株式会社製）とスダンＩＶ（関東化学株式会社製）とを混合し、着色した牛脂（着色牛脂）を調製した。着色牛脂におけるスダンＩＶ濃度は１質量％に設定した。
【００９３】
≪汚垢モデルの作製≫
前記着色牛脂１ｇを、縦１０ｃｍ×横１５ｃｍ×高さ５ｃｍのプラスチック製の容器（商品名：ネオキーパー、岩崎工業株式会社製）内側の全面に均一になるように塗布し、これを汚垢モデルとした。
【００９４】
≪洗浄試験≫
縦１１．５ｃｍ×横７．５ｃｍ×高さ３ｃｍの食器洗い用スポンジ（商品名スコッチブライト、住友スリーエム株式会社製）に、水道水３８ｇと各例の液体洗浄剤２ｇとをそれぞれ採り、１０回手で揉んだ後、擦り洗いを行った。具体的には、水道水と液体洗浄剤とを含んだスポンジで、上記汚垢モデルの内側底面を１０回、内側面を１回、内側の四隅を５回擦った後、水道水で濯ぐ操作を施した。
【００９５】
≪油汚れに対する洗浄力についての評価≫
擦り洗いの後、容器内面の油汚れの落ち具合を評価した。
かかる評価は、下記の評価基準（４段階評価）に基づいて行い、油汚れに対する洗浄力についての評価とした。
【００９６】
≪評価基準≫
Ａ：着色牛脂の汚れ残りが目視で認められず、着色牛油の残留によるヌルつきがない。
Ｂ：着色牛脂の汚れ残りが目視で認められないが、着色牛脂の残留によるヌルつきが僅かにある。
Ｃ：着色牛脂の汚れ残りが目視で認められ、着色牛脂の残留によるヌルつきがある。
Ｄ：着色牛脂の汚れ残りがかなり多く見られる。
【００９７】
＜泡立ち＞
縦１１．５ｃｍ×横７．５ｃｍ×高さ３ｃｍの食器洗い用スポンジ（住友スリーエム株式会社製、商品名：スコッチブライト）に、２５℃水道水３８ｇと液体洗浄剤２ｇとを採り、５回手で揉んだ後の状態（泡の立ち具合）を、下記の評価基準に従って評価した。
【００９８】
≪評価基準≫
Ａ：スポンジの表面全体を泡が覆い尽くしていた。
Ｂ：スポンジ表面を覆う泡の割合が、スポンジの表面積の５０〜８０％未満であった。
Ｃ：スポンジ表面を覆う泡の割合が、スポンジの表面積の３０〜５０％未満であった。
Ｄ：スポンジ表面を覆う泡の割合が、スポンジの表面積の３０％未満であった。
【００９９】
（実施例１〜２６、比較例１〜８）
表１〜３に示す液体洗浄剤組成物１０００ｇを下記の手順で調製した。
１Ｌビーカーに（Ａ）成分、（Ｄ）成分、エタノール、ｐＴＳ−Ｈ、安息香酸Ｎａ、クエン酸を入れ、マグネチックスターラー（Ｆｉｎｅ社製、「Ｆ−６０６Ｎ」）で攪拌した。続いて、（Ｂ）成分、（Ｃ）成分、（Ｅ）成分、他の任意成分を加え、混合した。その後、２５℃でのｐＨが７．８になるように、必要に応じｐＨ調整剤を適量添加した後、全体量が１００質量％になるように水を入れ、さらによく攪拌し、各例の液体洗浄剤組成物を得た。
液体洗浄剤組成物のｐＨ（２５℃）は、液体洗浄剤組成物を２５℃に調温し、ガラス電極式ｐＨメーター（東亜ディーケーケー株式会社製、「ＨＭ−３０Ｇ」）を用い、ガラス電極を液体洗浄剤組成物に直接に浸漬し、１分間経過後に示すｐＨを測定した。測定方法は、ＪＩＳ  Ｚ  ８８０２：１９８４「ｐＨ測定方法」に準拠して行った。
なお、表中の配合量（質量％）は純分換算値である（ただし、（Ｆ）成分は製剤としての量である）。また、表中に配合量が記載されていない成分は、配合されていない。ｐＨ調整剤の配合量「適量」は、液体洗浄剤組成物をｐＨ７．８にするのに必要な量である。水の配合量「バランス」は、液体洗浄剤組成物の総量を１００質量％とするのに必要な量である。
各例の液体洗浄剤組成物について、水切れ性、洗浄力、泡立ち性を評価し、その結果を表中に示す。
【０１００】
【表１】
2020152757.tif 000010
【０１０１】
【表２】
2020152757.tif 000011
【０１０２】
【表３】
2020152757.tif 000012
【０１０３】
表１〜３に示すように、本発明を適用した実施例１〜２６は、水切れ性、洗浄力及び泡立ちのいずれもが、「Ａ」〜「Ｃ」であった。
（Ａ）〜（Ｃ）成分のいずれかを欠く比較例１〜３、Ａ／Ｂ比が０．０３である比較例５、Ｄ／Ｂ比が１．９である比較例８は、いずれも水切れ性が「Ｄ」であった。
（Ｄ）成分を欠く比較例４、Ａ／Ｂ比が０．８５である比較例６は、洗浄力が「Ｄ」であった。
Ｄ／Ｂ比が０．４である比較例７は、泡立ちが「Ｄ」であった。
これらの結果から、本発明を適用することで、洗浄力、泡立ち及び水切れ性を高められることを確認できた。